(57)【要約】【課題】年齢の確認をより正確に行うことができる年齢認証システムを提供することを目的とする。【解決手段】自動販売機２がユーザＩＤをＩＣカードから読み取り、生年月日読取部１４が前記読み取ったユーザＩＤに基づいてユーザデータベース１１より生年月日を読み取る。また、年齢判定部１５が生年月日に基づいてユーザの年齢が規定の年齢の範囲内か否かを判定し、判定結果通知部１６が規定の年齢の範囲内か否かに基づいて、許可または不許可の何れかを、例えば自動販売機２や店舗のレジなどに通知する。【選択図】  図１
2005025285.tif 000002
【特許請求の範囲】
【請求項１】
ユーザ識別情報とユーザの生年月日とを対応付けて記憶するユーザ情報記憶手段と、
前記ユーザ識別情報を媒体から読み取るユーザ識別情報読取手段と、
読み取った前記ユーザ識別情報に基づいて前記ユーザ情報記憶手段より生年月日を読み取る生年月日読取手段と、
前記読み取った生年月日に基づいて前記ユーザの年齢が規定の年齢の範囲内か否かを判定する年齢判定手段と、
前記規定の年齢の範囲内か否かに基づいて、許可または不許可の何れかを通知する判定結果通知手段と、
を備えることを特徴とする年齢認証システム。
【請求項２】
対象年齢を店舗識別情報に対応付けて記憶する店舗情報記憶手段と、
前記店舗識別情報を受付ける店舗識別情報受付手段と、
前記受付けた店舗識別情報に基づいて前記店舗情報記憶手段より前記対象年齢を読み取る年齢読取手段とを備え、
前記年齢判定手段は、前記読み取った生年月日と前記読み取った対象年齢に基づいて、前記ユーザの年齢が前記規定の年齢の範囲内か否かを判定することを特徴とする請求項１に記載の年齢認証システム。
【請求項３】
商品の販売を行う販売手段と、
前記判定結果が不許可を表す場合に前記販売手段に前記販売の停止を指示する販売停止手段と、
を備えることを特徴とする請求項１または請求項２の何れかに記載の年齢認証システム。
【請求項４】
ユーザ識別情報とユーザの生年月日とを対応付けて記憶するユーザ情報記憶手段を備えた年齢認証システムにおける年齢認証方法であって、
前記ユーザ識別情報を媒体から読み取るユーザ識別情報読取過程と、
読み取った前記ユーザ識別情報に基づいて前記ユーザ情報記憶手段より生年月日を読み取る生年月日読取過程と、
前記読み取った生年月日に基づいて前記ユーザの年齢が規定の年齢の範囲内か否かを判定する年齢判定過程と、
前記規定の年齢の範囲内か否かに基づいて、許可または不許可の何れかを通知する判定結果通知過程と、
を有することを特徴とする年齢認証方法。
【発明の詳細な説明】
【０００１】
【発明の属する技術分野】
この発明は、コンピュータシステムに係り、特に、年齢認証システム及び年齢認証方法に関するものである。
【０００２】
【従来の技術】
従来、タバコや酒などを販売する自動販売機において、購入者の年齢を確認するために免許証に記載されている生年月日を光学的に読み取って年齢制限以上か否かを確認し、購入者に販売する自動販売機が存在する（例えば、特許文献１参照。）。また、インターネットを介して年齢認証をするシステムが公開されている（例えば、特許文献２参照。）
【０００３】
【特許文献１】
特開２０００−２７６６３６号公報
【特許文献２】
特開２００３−３０３５７号公報
【０００４】
【発明が解決しようとする課題】
しかしながら、特許文献１の自動販売機による購入者の年齢確認の方法では、免許証に記載されている生年月日の表記が偽造されている場合などは、本人の年齢を正確に判定するということは不可能であった。また特許文献２のシステムによる年齢認証の方法では、例えば他人のカードの番号や名前や生年月日や年齢を知っている場合には、他人になりすましてパスワードを得ることができ、年齢を偽って年齢制限のある情報にアクセスすることができてしまう。
そこでこの発明は、年齢の確認をより正確に行うことができる年齢認証システム及び年齢認証方法を提供することを目的としている。
【０００５】
【課題を解決するための手段】
本発明は、上述の課題を解決すべくなされたもので、ユーザ識別情報とユーザの生年月日とを対応付けて記憶するユーザ情報記憶手段と、前記ユーザ識別情報を媒体から読み取るユーザ識別情報読取手段と、読み取った前記ユーザ識別情報に基づいて前記ユーザ情報記憶手段より生年月日を読み取る生年月日読取手段と、前記読み取った生年月日に基づいて前記ユーザの年齢が規定の年齢の範囲内か否かを判定する年齢判定手段と、前記規定の年齢の範囲内か否かに基づいて、許可または不許可の何れかを通知する判定結果通知手段とを備えることを特徴とする年齢認証システムである。
【０００６】
上述の構成によれば、本発明は、ユーザ識別情報読取手段がユーザ識別情報を媒体から読み取り、生年月日読取手段が前記読み取ったユーザ識別情報に基づいてユーザ情報記憶手段より生年月日を読み取る。また、年齢判定手段が生年月日に基づいてユーザの年齢が規定の年齢の範囲内か否かを判定し、判定結果通知手段が規定の年齢の範囲内か否かに基づいて、許可または不許可の何れかを、例えば自動販売機や店舗のレジなどに通知する。
これによりＩＣカード等のユーザ識別情報を記憶する媒体を保持していなければ年齢の認証を行うことができないと共に、ＩＣカードは偽造が難しいので、より正確にユーザの年齢を判定することができる。
【０００７】
また本発明は、上述の年齢認証システムにおいて、対象年齢を店舗識別情報に対応付けて記憶する店舗情報記憶手段と、前記店舗識別情報を受付ける店舗識別情報受付手段と、前記受付けた店舗識別情報に基づいて前記店舗情報記憶手段より前記対象年齢を読み取る年齢読取手段とを備え、前記年齢判定手段は、前記読み取った生年月日と前記読み取った対象年齢に基づいて、前記ユーザの年齢が前記規定の年齢の範囲内か否かを判定することを特徴とする。
上述の構成によれば、店舗識別情報受付手段が店舗識別情報を受付け、年齢読取手段が店舗識別情報に基づいて店舗情報記憶手段より対象年齢を読み取り、年齢判定手段がユーザの生年月日と対象年齢に基づいて、ユーザの年齢が規定の年齢の範囲内か否かを判定する。これにより、ユーザの年齢が規定の年齢の範囲内か否かを、各店舗の基準で判定することができる。
【０００８】
また本発明は、上述の年齢認証システムにおいて、商品の販売を行う販売手段と、前記判定結果が不許可を表す場合に前記販売手段に前記販売の停止を指示する販売停止手段とを備えることを特徴とする。
【０００９】
また本発明は、ユーザ識別情報とユーザの生年月日とを対応付けて記憶するユーザ情報記憶手段を備えた年齢認証システムにおける年齢認証方法であって、前記ユーザ識別情報を媒体から読み取るユーザ識別情報読取過程と、読み取った前記ユーザ識別情報に基づいて前記ユーザ情報記憶手段より生年月日を読み取る生年月日読取過程と、前記読み取った生年月日に基づいて前記ユーザの年齢が規定の年齢の範囲内か否かを判定する年齢判定過程と、前記規定の年齢の範囲内か否かに基づいて、許可または不許可の何れかを通知する判定結果通知過程とを有することを特徴とする年齢認証方法である。
【００１０】
【発明の実施の形態】
以下、第１の実施形態による年齢認証システムを図面を参照して説明する。
図１は、第１の実施形態による年齢認証システムの構成を示す概略ブロック図である。この図において符号１は、受信したユーザＩＤ（ユーザ識別情報）に基づいて、ユーザの年齢を算出し、ユーザの年齢が規定の年齢の範囲か否かを判定する年齢認証装置である。また２は年齢認証装置１の判定に基づいて商品の販売または販売停止を行う自動販売機（ユーザ識別情報読取手段）である。また３はＩＣカード（媒体）にユーザＩＤを書き込むカード情報書き込み端末である。なお、このカード情報書き込み端末３はＩＣカードへの情報の書き込みや、ＩＣカードの情報を読み取るリーダ／ライタ装置を有している。ここで、年齢認証システムは年齢認証装置１と自動販売機２とカード情報書き込み端末３により構成される。そして、ＩＣカード発行業者が、カード情報書き込み端末３を保有している。なお、年齢認証装置１と自動販売機２とは通信ネットワークを介して接続されている。また年齢認証装置１とカード情報書き込み端末３も通信ネットワークを介して接続されている。
【００１１】
また、年齢認証装置１において、符号１１はユーザの氏名や生年月日などのユーザ情報とユーザＩＤとパスワードを対応付けて記憶するユーザデータベース（ユーザ情報記憶手段）である。また１２は通信ネットワークを介して自動販売機２やカード情報書き込み端末３との各種情報の送受信を行う送受信部（ユーザ識別情報受付手段、店舗識別情報受付手段）である。また１３はカード情報書き込み端末３からの指示に基づいて、ユーザの氏名や生年月日などのユーザ情報の登録を行うと共にユーザＩＤを発行するユーザ情報登録処理部である。また１４は、ユーザデータベース１１に記録されているユーザの生年月日を読み取る生年月日読取部（生年月日読取手段）である。また１５は、読み取った生年月日に基づいてユーザの年齢を算出し、ユーザの年齢が規定の年齢の範囲内か否かを判定する年齢判定部（年齢判定手段、年齢読取手段）である。また１６は年齢判定部１５の判定に基づいて、自動販売機２に対して判定結果を通知する判定結果通知部（判定結果通知手段）である。
また自動販売機２において符号２１は商品の販売を行う商品販売部（販売手段）である。また２２は商品の販売停止を行う商品販売停止部（販売停止手段）である。また２３はＩＣカードから読み取ったユーザＩＤと、入力を受付けたパスワードとを送信する認証情報送信部である。
【００１２】
次にユーザがＩＣカードの発行を受ける際のカード情報書き込み端末３と年齢認証装置１の処理フローについて説明する。
まず、ユーザがＩＣカード発行業者に、ユーザ自身の氏名、住所、生年月日などの情報を提示してＩＣカードの発行を依頼する。そしてＩＣカードの発行業者はカード情報書き込み端末３にユーザの氏名、住所、生年月日を入力し、ユーザ登録の指示を行う。するとカード情報書き込み端末３は年齢認証装置１にユーザの氏名、住所、生年月日を送信する。
【００１３】
次に、年齢認証装置１の送受信部１２がユーザの氏名、住所、生年月日を受信してユーザ情報登録処理部１３に通知する。するとユーザ情報登録処理部１３は受付けたユーザの氏名、住所、生年月日に対応するユーザＩＤとパスワードを生成し、氏名と住所と生年月日とユーザＩＤとパスワードとを対応付けてユーザデータベース１１に記録する。またユーザ情報登録処理部１３は送受信部１２に生成したユーザＩＤとパスワードをカード情報書き込み端末３に送信するよう指示する。そして、送受信部１２はユーザ情報登録処理部１３の生成したユーザＩＤとパスワードとをカード情報書き込み端末３に送信する。
【００１４】
カード情報書き込み端末３は年齢認証装置１よりユーザＩＤとパスワードを受信すると、当該受信したユーザＩＤをＩＣカードへ書き込むようモニタに表示する。するとＩＣカード発行業者は、情報の書き込まれていない新しいＩＣカードをリーダ／ライタ装置に装填し、カード情報書き込み端末３にユーザＩＤの書き込み指示を行う。するとカード情報書き込み端末３は、リーダ／ライタ装置にユーザＩＤを転送し、リーダ／ライタ装置が、ユーザＩＤをＩＣカードへ書き込む。また、カード情報書き込み端末３は受信したパスワードを印刷するようモニタに表示する。そしてＩＣカード発行業者がカード情報書き込み端末３にパスワードの印刷指示を行うと、カード情報書き込み端末３は、例えばプリンタでパスワードの印刷を行う。ＩＣカード発行業者はユーザＩＤを書き込んだＩＣカードとパスワードを印刷した印刷物とをユーザに発行する。
【００１５】
次に、自動販売機がタバコを販売する自動販売機である場合の処理について説明する。
まずユーザが自動販売機２のＩＣカード挿入口へＩＣカードを挿入する。またユーザは、例えば自動販売機２に備えられたテンキーなどを用いてパスワードを入力する。すると自動販売機２はＩＣカードからユーザＩＤを読み取る。そして、読み取ったＩＣカードと、入力を受付けたパスワードとを自動販売機２の認証情報送信部２３が年齢認証装置１へ送信する。
【００１６】
次に、年齢認証装置１の送受信部１２がユーザＩＤとパスワードを受信すると、当該受信したユーザＩＤとパスワードを生年月日読取部１４に転送する。すると生年月日読取部１４は受付けたユーザＩＤとパスワードが対応付けられてユーザデータベース１１に記録されているか否かを確認する。そして、ユーザＩＤとパスワードが対応付けられて記録されている場合には、当該ユーザＩＤとパスワードに対応するユーザの生年月日をユーザデータベース１１から読み取って、その生年月日を年齢判定部１５に転送する。また生年月日読取部１４は、ユーザＩＤとパスワードがユーザデータベース１１に対応付けられて記録されていない場合には、自動販売機２にエラーを送信するよう送受信部１２に指示する。ここでエラーを受付けた自動販売機２の商品販売停止部２２はタバコの販売を停止を判断し、挿入されたＩＣカードを挿入口からはき出す指示を行う。
【００１７】
次に、年齢判定部１５は生年月日を受付けると、現在の年月日を記憶している現在年月日記憶部から現在の年月日を読み取り、ユーザの年齢を算出する。そして算出した年齢が規定の年齢の範囲外（例えば、２０歳未満）である場合には、年齢判定部１５は販売不許可と判定する。また算出した年齢が規定の年齢の範囲内（例えば、２０歳以上）である場合には、年齢判定部１５は販売許可と判定する。なお規定の年齢の範囲は予め年齢判定部１５が記憶している。次に判定結果通知部１６は、年齢判定部１５の判定結果に基づいて、販売許可または販売不許可の情報を自動販売機２に通知するよう送受信部１２に指示する。そして送受信部１２は販売許可または販売不許可の情報を自動販売機２に送信する。なお、販売許可の情報を受信した場合には、自動販売機２の商品販売部２１が、タバコの販売処理を開始する。これによりタバコの自動販売が行なわれる。また販売不許可の情報を受信した場合は、自動販売機２の商品販売停止部２２が、商品販売部２１に対して販売処理の停止の信号を送信することにより、販売停止を指示する。これにより商品販売部２１はタバコの自動販売の処理を停止する。
【００１８】
次に、第２の実施形態による年齢認証システムを図面を参照して説明する。
図２は第２の実施形態による年齢認証システムの構成を示す概略ブロック図である。
この実施形態の年齢認証システムは年齢認証装置１とパチンコ玉販売機４とカード情報書き込み端末３を備えている。そして年齢認証装置１は第１の実施形態の構成のほかに、商品の販売や店舗への入場に年齢制限を設けている店舗のＩＤ（店舗識別情報）と対象年齢とを対応付けた表を記憶した店舗データベース（店舗情報記憶手段）１７を備えている。なお対象年齢は、年齢認証装置１が販売許可や入場許可の判定を行う年齢である。またパチンコ玉販売機４は商品販売部（販売手段）４１と商品販売停止部（販売停止手段）４２と認証情報送信部４３と、パチンコ店を識別する店舗ＩＤを記憶した店舗ＩＤ記憶部４４を備えている。
【００１９】
また図３は店舗データベース１７が記憶する表の具体例を示す図である。この図が示すように、店舗データベース１７が記憶する表は、店舗毎の店舗ＩＤ（例えば数字６桁で表される番号など）と各店舗における対象年齢を対応付けた表である。そして、例えば店舗がパチンコ店である場合には店舗データベース１７が記憶する表は、パチンコ店の店舗ＩＤ（１２３４５６）と対象年齢を示す（１８，１３０）という情報とを対応付けて保持している。この対象年齢を示す情報は対象年齢のうちの最低年齢と最高年齢とを示しており、対象年齢を示す情報が（１８，１３０）である場合には１８歳以上１３０歳以下が対象年齢である。また例えば店舗が酒屋である場合には店舗データベース１７が記憶する表は、酒屋の店舗ＩＤ（６５４３２１）と対象年齢を示す（２０，１３０）という情報とを対応付けて保持している。そして年齢判定部１５は、ユーザの年齢が対象年齢である場合に、パチンコ店に入場できる年齢であるとの判定や、酒屋で酒を変える年齢であるとの判定を行なう。
【００２０】
そして、年齢認証システムがパチンコ店に来店したユーザの年齢を認証する際の処理は、まず、ユーザがパチンコ玉販売機４のＩＣカード挿入口へＩＣカードを挿入する。またユーザは、例えばパチンコ玉販売機４に備えられたテンキーなどを用いてパスワードを入力する。するとパチンコ玉販売機４はＩＣカードからユーザＩＤを読み取る。またパチンコ玉販売機４の認証情報送信部４３が店舗ＩＤ記憶部４４から店舗ＩＤを読み取る。そして、読み取ったＩＣカード及び店舗ＩＤと、入力を受付けたパスワードとをパチンコ玉販売機４の認証情報送信部４３が年齢認証装置１へ送信する。
【００２１】
次に、年齢認証装置１の送受信部１２がユーザＩＤとパスワードと店舗ＩＤとを受信すると、当該受信したユーザＩＤとパスワードを生年月日読取部１４に転送する。すると生年月日読取部１４は受付けたユーザＩＤとパスワードが対応付けられてユーザデータベース１１に記録されているか否かを確認する。そして、ユーザＩＤとパスワードが対応付けられて記録されている場合には、当該ユーザＩＤとパスワードに基づいてユーザデータベース１１からユーザの生年月日を読み取って、その生年月日と店舗ＩＤとを年齢判定部１５に転送する。また生年月日読取部１４は、ユーザＩＤとパスワードがユーザデータベース１１に対応付けられて記録されていない場合には、パチンコ玉販売機４にエラーを送信するよう送受信部１２に指示する。ここでエラーを受付けたパチンコ玉販売機４の商品販売停止部４２はパチンコ玉の販売停止を判断し、挿入されたＩＣカードを挿入口からはき出す指示を行う。
【００２２】
次に、年齢判定部１５は生年月日を受付けると、現在の年月日をカウントしているカウント部から現在の年月日を読み取り、ユーザの年齢を算出する。また年齢判定部１５は店舗ＩＤと対応付けられて店舗データベース１７に記録されている対象年齢を読み取る。そして、年齢判定部１５は、算出したユーザの年齢と店舗データベース１７から読み取った対象年齢とを比較し、ユーザの年齢が対象年齢に含まれない場合には販売不許可と判定し、またユーザの年齢が対象年齢に含まれる場合には販売許可と判定する。次に判定結果通知部１６は、年齢判定部１５の判定結果に基づいて、販売許可または販売不許可の情報をパチンコ玉販売機４に通知するよう送受信部１２に指示する。そして送受信部１２は販売許可または販売不許可の情報をパチンコ玉販売機４に送信する。
なお、販売許可の情報を受信した場合には、パチンコ玉販売機４の商品販売部４１が、パチンコ玉の販売処理を開始する。これによりパチンコ玉の自動販売が行なわれる。また販売不許可の情報を受信した場合は、パチンコ玉販売機４の商品販売停止部４２が、商品販売部４１に対して販売処理の停止の信号を送信することにより、販売停止を指示する。これにより商品販売部４１はパチンコ玉の自動販売の処理を停止する。
【００２３】
また、年齢認証システムが店に商品を買いに来たユーザの年齢を認証するようにしてもよい。この場合、店頭の店員が、ユーザからＩＣカードを受取って、例えばＩＣカードに添付されたユーザの顔写真とユーザの顔とを比較して、ＩＣカード保持者本人であるかを確認する。そしてＩＣカード保持者であると確認できた場合には、ＩＣカードを店頭のレジのＩＣカードの挿入口に挿入する。そして、レジがＩＣカードからユーザＩＤを読み取り、年齢認証装置１へユーザＩＤと店舗ＩＤを送信する。次に、年齢認証装置１は上述の処理により、ユーザの年齢が対象年齢の範囲内であると判定した場合には販売許可の情報をレジに送信する。この時、店員がユーザの顔とＩＣカードの写真を見比べて確認をしているので、年齢認証装置１はユーザＩＤとパスワードを用いた認証を行わないようにしてもよい。そして、レジにおいて販売許可の情報が例えば液晶ディスプレイなどに表示さる。店員はレジに表示された販売許可の表示に基づいて商品を販売する。
また、例えば１８歳未満は視聴してはいけない映画を上映している映画館でユーザの年齢を認証する年齢認証システムとしてもよい。
【００２４】
尚、上述の年齢認証装置やユーザ情報送信装置は内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００２５】
【発明の効果】
以上説明したように、この発明によれば、ユーザ識別情報読取手段がユーザ識別情報を媒体から読み取り、生年月日読取手段が前記読み取ったユーザ識別情報に基づいてユーザ情報記憶手段より生年月日を読み取る。また、年齢判定手段が生年月日に基づいてユーザの年齢が規定の年齢の範囲内か否かを判定し、判定結果通知手段が規定の年齢の範囲内か否かに基づいて、許可または不許可の何れかを、例えば自動販売機や店舗のレジなどに通知する。
これによりＩＣカード等のユーザ識別情報を記憶する媒体を保持していなければ年齢の認証を行うことができないと共に、ＩＣカードは偽造が難しいので、より正確にユーザの年齢を判定することができる。
【００２６】
また、本発明は、店舗識別情報受付手段が店舗識別情報を受付け、年齢読取手段が店舗識別情報に基づいて店舗情報記憶手段より対象年齢を読み取り、年齢判定手段がユーザの生年月日と対象年齢に基づいて、ユーザの年齢が規定の年齢の範囲内か否かを判定する。これにより、ユーザの年齢が規定の年齢の範囲内か否かを、各店舗の基準で判定することができる。
【図面の簡単な説明】
【図１】第１の実施形態による年齢認証システムの構成を示す概略ブロック図である。
【図２】第２の実施形態による年齢認証システムの構成を示す概略ブロック図である。
【図３】第２の実施形態による店舗データベース１７が記憶する表の具体例を示す図である。
【符号の説明】
１  年齢認証装置
２  ユーザ情報送信装置
３  カード情報書き込み端末
１１  ユーザデータベース
１２  送受信部
１３  ユーザ情報登録処理部
１４  生年月日読取部
１５  年齢判定部
１６  判定結果通知部
１７  店舗データベース
【図１】
2005025285.tif 000003
【図２】
2005025285.tif 000004
【図３】
2005025285.tif 000005